(57)【要約】【課題】  カメラの設置に付帯する作業の簡便化が得られるようにした監視カメラ装置を提供すること。【解決手段】  カメラ本体１０の天井Ｓに対する取付に、照明器具の設置に用いられている汎用のシーリングローゼットを適用し、シーリングローゼットのローゼットキャップ４をカメラ本体１０のハウジング１に取り付け、天井Ｓに取り付けられているシーリングローゼットのローゼットソケット６に装着されている照明器具を取り外し、代りにカメラ本体１０のローゼットキャップ４をローゼットソケット６に係合させ、カメラ本体１０の取付けと電源供給が得られるようにしたもの。【選択図】図１
2008104077.tif 000002
【特許請求の範囲】
【請求項１】
テレビジョン撮像部の筐体を天井に取り付けて室内を撮像するようにしたテレビカメラ装置において、
照明器具に取り付けられるローゼットキャップと天井に取り付けられるローゼットソケットからなる汎用のシーリングローゼットの前記ローゼットキャップを前記筐体に取り付け、
天井に取り付けられている前記ローゼットソケットに前記筐体に取り付けているキャップ部を係合させることにより、
前記筐体の天井への設置と前記テレビジョン撮像部に対する電力供給路の形成とが同時に得られるように構成したことを特徴とするテレビジョンカメラ装置。
【発明の詳細な説明】
【技術分野】
【０００１】
本発明は、天井下面や壁面に取り付けて使用されるテレビカメラに係り、特に室内での監視に好適なテレビカメラ装置に関するものである。
【背景技術】
【０００２】
近年、安全性維持や保安維持の見地から監視カメラの設置が進み、犯罪の防止と抑止に成果が見られるようになっているが、しかし、ここで監視カメラに使用されるテレビカメラには、通常、動作用の電力が必要であり、従って、単に必要な場所に監視カメラを取り付ければ済むという訳にはゆかず、ほとんどの場合、監視カメラの設置に際しては、その取付場所の近傍まで専用の電源コードを引き込み、電力を供給していた。
【０００３】
ところで、このことは、監視カメラの設置時期が、それの設置対象となった建物などの新築時や改装時に当っていた場合には、それほど問題になることはない。
【０００４】
しかして、既設の建物などに、後から監視カメラを設置する場合は、新たに専用の電源コードを引き込む作業が必要になる上、監視カメラ設置用の孔を天井などに開けるなどの工事も新たに必要になるので、いささか問題になる。そして、このことは、何らかの理由により監視カメラの設置位置の変更が必要になった場合も、やはり同じである。
【０００５】
そこで、或る従来技術では、建物などに設置されている照明機器の存在に着目し、当該照明機器に電力を供給している電源コードから動作用の電力を取り込んむようにしたカメラ装置について提案している(例えば、特許文献１参照。)。
【０００６】
一方、このこととは直接関連しないが、カメラ装置を天井などに対して着脱自在にした監視カメラについても、従来技術として提案されている(例えば、特許文献２参照。)。
【特許文献１】特開２００５−１８４１６７号公報
【特許文献２】特開平１１−２９８７６６号公報
【発明の開示】
【発明が解決しようとする課題】
【０００７】
上記従来技術は、監視カメラの設置を簡便化する点に配慮がされておらず、既存の建物などに後から監視カメラを設置する場合に専用の電源コードの引き込み作業や孔開け作業が必要であり、且つ、このことは設置位置の変更に際しても同じで、カメラ移動の都度、上記した作業が付帯してしまい、コストアップになるという問題があった。
【０００８】
本発明の目的は、カメラの設置に付帯する作業の簡便化が得られるようにした監視カメラ装置を提供することにある。
【課題を解決するための手段】
【０００９】
上記目的は、テレビジョン撮像部の筐体を天井に取り付けて室内を撮像するようにしたテレビカメラ装置において、照明器具に取り付けられるローゼットキャップと天井に取り付けられるローゼットソケットからなる汎用のシーリングローゼットの前記ローゼットキャップを前記筐体に取り付け、天井に取り付けられている前記ローゼットソケットに前記筐体に取り付けているキャップ部を係合させることにより、前記筐体の天井への設置と前記テレビジョン撮像部に対する電力供給路の形成とが同時に得られるように構成することによって達成される。
【００１０】
このとき、前記テレビジョン撮像部が電力線搬送手段を備え、前記テレビジョン撮像部に対する制御信号と当該テレビジョン撮像部から出力される映像信号の少なくも一方が前記電力供給路を介して伝送されるようにして実施してもよく、前記テレビジョン撮像部が無線伝送手段を備え、前記テレビジョン撮像部に対する制御信号と当該テレビジョン撮像部から出力される映像信号の少なくも一方が無線通信により伝送されるようにして実施してもよい。
【発明の効果】
【００１１】
本発明によれば、カメラの新設や位置の変更がコストアップ抑制のもとで可能になるので、監視態勢の変化にも容易に対応することができ、安全性の確保に大きく寄与することができる。
【発明を実施するための最良の形態】
【００１２】
以下、本発明によるテレビジョンカメラ装置について、図示の実施の形態により詳細に説明すると、ここで、図１が本発明の一実施形態である。そして、これは、本発明を監視用のテレビジョンカメラに適用した場合の実施形態であり、図において、１はハウジング(筐体)、２は撮像部(テレビジョン撮像部)、３はドームカバー、４はローゼットキャップ、５ａ、５ｂはフック端子、６はローゼットソケット、７はフック係合部、８は取付孔、８は電源コードであり、このとき１０はカメラ本体部を表わし、Ｓは天井を表わす。
【００１３】
そして、まず、ハウジング１は、例えば合成樹脂材により、図示のように、略円筒状に作られ、その一方の端部、つまり図では下側になっている方の端部には撮像部２が、例えばポリカーボネイト樹脂製のドームカバー３により保護された状態で設けられ、他方の端部、つまり図では上側になっている方の端部にはローゼットキャップ４が取り付けられている。そして、このローゼットキャップ４にはフック端子５ａ、５ｂが設けられていて、それらを撮像部２の電源部に接続させておく。
【００１４】
このとき天井Ｓには、ローゼットソケット６が、例えば取付孔８に挿通させたネジにより取り付けられている。そして、このローゼットソケット６にはフック係合部７ａ、７ｂが備えられ、それぞれ電源コード９に接続されている。
【００１５】
そこで、次に、これらローゼットキャップ４とローゼットソケット６について説明すると、これらは照明器具を着脱自在に天井に取り付ける際に、組み合わされて使用される、いわゆるシーリングローゼットと呼ばれている汎用の器具のことである。そして、使用に際しては、まずローゼットキャップ４のフック端子５ａ、５ｂを、図に一点鎖線で示されているように、ローゼットソケット６のフック係合部７ａ、７ｂの広くなっている部分に入り込ませるようにしてローゼットキャップ４をローゼットソケット６に重ね合わせ、この後、同じく図に矢印で示されている方向に回動させる。
【００１６】
そうすると、これにより、フック端子５ａ、５ｂがローゼットソケット６のフック係合部７ａ、７ｂに係合し、ローゼットキャップ４がローゼットソケット６に固定され、しかも、これと共に、フック端子５ａ、５ｂとフック係合部７ａ、７ｂが夫々接触するので、これらの間での電気的な接続も同時に得られるようになる。
【００１７】
一方、取り外す際には、ローゼットキャップ４を装着時とは反対方向に回動させればよく、従って、着脱自在な取付器具として使用できる。
【００１８】
そして、このローゼットキャップ４は、本来は照明器具に取り付けられ、そのフック端子５ａ、５ｂが当該照明器具の蛍光灯などの発光部に接続されていて、天井Ｓに取り付けられているローゼットソケット６にローゼットキャップ４を係合させることにより、当該照明器具の天井えの取付けと、当該照明器具に電力を供給するための電路の形成が同時に得られるようになっているものである。
【００１９】
従って、この場合、ローゼットソケット６は、もともと天井Ｓの所定の位置に照明器具を取り付けるため、当該天井Ｓに既に設置されているものであり、これには照明器具が取り付けられているのであるが、この図では、その照明器具が取り外されている状態が示されていることになる。
【００２０】
そこで、この実施形態では、まず、監視カメラの設置を希望する位置にある照明器具、又はその位置の近傍にある照明器具を選び、そこにあるローゼットソケット６から取り外す。そして、代りにカメラ本体１０のローゼットキャップ４を、当該ローゼットソケット６に嵌合させ、当該カメラ本体１０を装着させるのである。このときの照明器具の取り外しは、シーリングローゼット本来の機能によるものであるから、これが簡単に行なえるのは当然のこととして、カメラ本体１０の取り付けも簡単に行なえる。何故なら、このときカメラ本体１０に設けてあるローゼットキャップ４は、このとき取り外した照明器具のキャップと同じ規格のもの、つまり汎用のシーリングローゼットのキャップにしてあるからである。
【００２１】
従って、この実施形態によれば、監視カメラの設置に際して別途、専用の電源コードの引き込み作業や天井板の孔開け作業などの付帯作業を要することなく、単に、そこにあった照明器具を取り外し、代りにカメラ本体１０を取り付けるだけで済むことになり、よって、監視態勢の強化による安全性の向上を、コストアップの抑制のもとで容易に図ることができる。
【００２２】
ところで、この場合、実際に監視カメラとして運用させるためには、撮像部２から映像信号を取り込む必要があり、従って、このための信号伝送手段が必要になる。このとき、別に信号線をカメラ本体１０から引き出すようにしてもよいが、しかし、ここでは、せっかく専用の電源コードの引き込みを不要にしているのに、ここで信号線を接続したのでは竜頭蛇尾に終わってしまう。
【００２３】
そこで、次に、信号線も不要にした実施形態について説明する。
【００２４】
まず、図２は、電力線搬送方式により信号線を不要にした場合の本発明の実施形態で、この場合、図示のように、カメラ本体１０の中に電源回路２０と発振回路２１、変調回路２２、結合コンデンサ２３ａ、２３ｂ、復調回路２４、それに結合コンデンサ２５ａ、２５ｂを設けたものである。
【００２５】
ここで、まず、電源回路２０は、その入力がフック端子５ａ、５ｂに接続され、これにより外部から電源コード９(図１)を介して供給されている電圧１００Ｖの商用交流電力を入力し、これからカメラ本体１０内にある機器の動作に必要な直流電力Ｐを出力する働きをする。従って、特に説明しなかったが、図１で説明したカメラ本体１０内にも当然、設けられているものである。
【００２６】
次に、発振回路２１は、例えば１００メガヘルツオーダのキャリア信号Ｃを発生するもので、発生されたキャリア信号Ｃは変調回路２２に供給される。そこで、変調回路２２は、撮像部２から供給される映像信号Ｖを入力し、これによりキャリア信号Ｃを変調し、変調波信号Ｆを発生する。このとき、変調回路２２の出力は、結合コンデンサ２３ａ、２３ｂを介して、フック端子５ａ、５ｂに接続されている。そこで、変調回路２２から出力された変調波信号Ｆは、フック端子５ａ、５ｂから電源コード９を通って外部にある監視モニタ側に供給されることになる。そこで、監視モニタ側では、この電源コード９を通って与えられる変調波信号Ｆを復調してやれば、電力線多重方式による映像信号が得られることになり、信号線を不要にすることができる。
【００２７】
ところで、この図２の実施形態では、更に復調回路２４が設けられ、その入力は結合コンデンサ２５ａ、２５ｂを介して電源コード９に接続されている。そして、この復調回路２４は、上記したキャリア信号Ｃとは周波数が異なっているキャリア信号に同調させてある。そこで、外部にある監視モニタ側では、上記したキャリア信号Ｃとは周波数が異なっているキャリア信号を搬送波とし、これに制御信号Ｘを乗せて変調波信号Ｇとし、これを電源コード９につながっている電力線に供給してやれば、復調回路２４から制御信号Ｘを得ることができ、撮像部２の動作を監視モニタ側から遠隔制御することができる。
【００２８】
次に、図３は、無線伝送方式により信号線を不要にした場合の本発明の実施形態で、この場合、図示のように、カメラ本体１０の中に電源回路２０と送信回路３０、アイソレータ回路３１、アンテナ３２、それに受信回路３３を設けたものである。
【００２９】
そして、まず、送信回路３０は、撮像部２から供給される映像信号を変調入力とし、これにより映像信号の無線伝送に適した周波数の搬送波信号を変調し、送信信号Ｍを発生してアイソレータ回路３１を介してアンテナ３２に供給する。
【００３０】
なお、電源回路２０は、カメラ本体１０内にある機器の動作に必要な直流電力Ｐを出力するものであることは、上記した通りである。
【００３１】
このとき、アイソレータ回路３１は、送信回路３０からの信号とアンテナ３２からの信号を分離し、送信信号Ｍはアンテナ３２にだけ供給され、アンテナ３２からの信号は受信回路３３にだけ入力されるように働く。
【００３２】
一方、このとき受信回路３３は、送信信号Ｍの搬送波周波数とは異なる周波数に同調されていて、アンテナ３２に入感した電波の中に受信回路３３が同調されている周波数と同じ搬送波周波数の信号が現われたとき、これを受信信号Ｒとして取り込む。そして、この受信信号Ｒを復調し、制御信号Ｘとして撮像部２に供給するようになっている。
【００３３】
そこで、この図３の実施形態の場合、監視モニタ側では、送信信号Ｍの搬送波周波数に同調した受信回路を設けてやれば、これから撮像部２の映像信号が得られるようになり、これと共に、受信信号Ｒと同じ搬送波周波数の送信回路を設け、これに変調信号として制御信号Ｘを入力してやれば、撮像部２の動作を監視モニタ側から遠隔制御できることになる。
【００３４】
従って、本発明の実施形態には、図１に記載のテレビジョンカメラ装置以外にも、前記テレビジョン撮像部が電力線搬送手段を備え、前記テレビジョン撮像部に対する制御信号と当該テレビジョン撮像部から出力される映像信号の少なくも一方が前記電力供給路を介して伝送されることを特徴とするテレビジョンカメラ装置と、前記テレビジョン撮像部が無線伝送手段を備え、前記テレビジョン撮像部に対する制御信号と当該テレビジョン撮像部から出力される映像信号の少なくも一方が無線通信により伝送される特徴とするテレビジョンカメラ装置とがあることになる。
【図面の簡単な説明】
【００３５】
【図１】本発明によるテレビジョンカメラ装置の一実施形態を示す説明図である。
【図２】本発明によるテレビジョンカメラ装置の他の一実施形態を示すブロック図である。
【図３】本発明によるテレビジョンカメラ装置の更に別の一実施形態を示すブロック図である。
【符号の説明】
【００３６】
１：ハウジング(筐体)
２：撮像部(テレビジョン撮像部)
３：ドームカバー
４：ローゼットキャップ
５ａ、５ｂ：フック端子
６：ローゼットソケット
７：フック係合部
８：取付孔
９：電源コード
１０：カメラ本体部
Ｓ：天井
Ｃ：キャリア信号
Ｆ：変調波信号(送信用)
Ｇ：変調波信号(受信用)
Ｍ：送信信号
Ｐ：直流電力
Ｒ：受信信号
Ｖ：映像信号
Ｘ：制御信号
【図１】
2008104077.tif 000003
【図２】
2008104077.tif 000004
【図３】
2008104077.tif 000005